(57)【要約】【課題】把手体と断熱板とを締結固定する締結部へのスチームの侵入を防止し、締結部の劣化がなく、安全性の高いスチームアイロンを提供する。【解決手段】ベース３の上面に設けた断熱板９と、断熱板９の上方に握り部１１を形成した把手体１０と、把手体１０の下部に設けられるとともに把手体１０と断熱板９とを接続する接続体１２とを備え、把手体１０から断熱板９に近接するように壁体１３を設け、接続体１２周辺にスチームが侵入しない構成としたもので、壁体１３と断熱板９の間で結露水膜２０を形成して、接続体１２周辺へのスチームの侵入を防止し、把手体１０と断熱板９とを締結固定する締結部の強度を確保して安全性の高いスチームアイロンを提供することができる。【選択図】図１
2010125252.tif 000002
【特許請求の範囲】
【請求項１】
ヒータによって加熱されるベースと、前記ベースに形成されスチームを生成する気化室と、前記気化室に供給する水を蓄える水タンクと、前記ベースの下面に設けられるとともに、前記気化室と連通された複数のスチーム穴を有する掛け面と、前記ベースの上面に設けた断熱板と、前記断熱板の上方に握り部を形成した把手体と、前記把手体の下部に設けられるとともに前記把手体と前記断熱板とを接続する接続体とを備え、前記把手体から前記断熱板に近接するように壁体を設け、前記接続体周辺にスチームが侵入しない構成としたスチームアイロン。
【請求項２】
壁体下方の断熱板の一部に凹部を設け、前記壁体は前記凹部内に延出する請求項１記載のスチームアイロン。
【請求項３】
壁体は、把手体と別部材で構成されるとともに金属製である請求項１または２に記載のスチームアイロン。
【請求項４】
断熱板は、壁体と対向する位置より後方に、前記壁体の下端より高く延出する後方壁体を備えた請求項１〜３のいずれか１項記載のスチームアイロン。
【発明の詳細な説明】
【技術分野】
【０００１】
本発明は、衣類等のしわ伸ばしに用いられるスチームアイロンに関するものである。
【背景技術】
【０００２】
従来のこの種のスチームアイロンは、ベースのスチーム穴から噴出したスチームがアイロン本体の後方部から把手体と断熱板との間を通って侵入しがちであるが、その侵入したスチームが把手体と断熱板とを締結固定する締結部にまで侵入することを防止する特別な構成は有していなかった（例えば、特許文献１参照）。
【０００３】
以下その構成について、図４を用いて説明する。スチームアイロンのアイロン本体１は、ヒータ２により加熱されるベース３と、ベース３に設けたスチームを発生させる気化室４と、ベース３下面に気化室４から発生したスチームを噴出させるスチーム穴を形成した掛け面６とを備えている。
【０００４】
スチームを発生させたい時は、スチームボタン８を外部から操作することによって水タンク７内の水が気化室４に供給されてスチームを発生させる構成である。ベース３の上面には断熱板９が固定され、さらにその断熱板９の上方には、上部に握り部１１を形成した樹脂製の把手体１０が配置され、接続体１２によって断熱板９と締結、固定されている。
【特許文献１】特開昭５８−２０６７９９号公報
【発明の開示】
【発明が解決しようとする課題】
【０００５】
しかしながら、このような従来の構成では、しわ伸ばしに必要なスチームを使用したアイロン掛けを行っていると、アイロン本体１の後方部から把手体１０と断熱板９との間を通って侵入したスチームが、図４において矢印で示した経路で断熱板９と把手体１０との締結部に侵入し、締結部の樹脂が加水分解等の劣化を引き起こし、締結部の強度が弱くなるという課題があった。
【０００６】
また、スチームの侵入を防ぐために、ゴム等の別部品でシールするという構成も考えられるが、部品数が多くなり、高価になるという課題があった。
【０００７】
本発明は、前記従来の課題を解決するもので、スチームが締結部まで侵入するのを防ぎ、締結部での劣化がなく、安全性の高い安価なスチームアイロンを提供することができる。
【課題を解決するための手段】
【０００８】
本発明は前記従来の課題を解決するために、ヒータによって加熱されるベースと、前記ベースに形成されスチームを生成する気化室と、前記気化室に供給する水を蓄える水タンクと、前記ベースの下面に設けられるとともに、前記気化室と連通された複数のスチーム穴を有する掛け面と、前記ベースの上面に設けた断熱板と、前記断熱板の上方に握り部を形成した把手体と、前記把手体の下部に設けられるとともに前記把手体と前記断熱板とを接続する接続体とを備え、前記把手体から前記断熱板に近接するように壁体を設け、前記接続体周辺にスチームが侵入しない構成としたもので、スチームがアイロン本体へ侵入しても、壁体でスチームが水滴に変化し、かつ壁体と断熱板が近接することにより、その間に結露水膜を形成し、スチームが接続体に暴露されないようになり、締結部での劣化がなく、安全性の高いスチームアイロンを提供することができる。
【発明の効果】
【０００９】
本発明のスチームアイロンは、しわ伸ばしに必要なスチームを使用したアイロン掛けを行っても、把手体と断熱板とを締結固定する締結部にスチームの侵入がないので、締結部での劣化がなく、安全性の高いスチームアイロンを提供することができる。
【発明を実施するための最良の形態】
【００１０】
第１の発明は、ヒータによって加熱されるベースと、前記ベースに形成されスチームを生成する気化室と、前記気化室に供給する水を蓄える水タンクと、前記ベースの下面に設けられるとともに、前記気化室と連通された複数のスチーム穴を有する掛け面と、前記ベースの上面に設けた断熱板と、前記断熱板の上方に握り部を形成した把手体と、前記把手体の下部に設けられるとともに前記把手体と前記断熱板とを接続する接続体とを備え、前記把手体から前記断熱板に近接するように壁体を設け、前記接続体周辺にスチームが侵入しない構成としたもので、スチームがアイロン本体へ侵入しても、壁体でスチームが水滴に変化し、かつ壁体と断熱板が近接することにより、その間に結露水膜を形成し、スチームが接続体に暴露されないようになり、締結部での劣化がなく、安全性の高いスチームアイロンを提供することができる。
【００１１】
第２の発明は、上記第１の発明において、壁体下方の断熱板の一部に凹部を設け、前記壁体は前記凹部内に延出したもので、スチームから変化した水が断熱板の凹部に貯まることにより、安定した結露水膜構成を形成することができ、締結部での劣化がなく、安全性の高いスチームアイロンを提供することができる。
【００１２】
第３の発明は、上記第１または第２の発明において、壁体は、把手体と別部材で構成されるとともに金属製であるもので、壁体でスチームから水へ、より変化しやすくなり、安定した結露水膜構成をより確実に形成することができ、締結部での劣化がなく、安全性の高いスチームアイロンを提供することができる。
【００１３】
第４の発明は、上記第１〜第３の発明において、断熱板は、壁体と対向する位置より後方に、前記壁体の下端より高く延出する後方壁体を備えたもので、迷路効果によってスチームがより接続体側に侵入しづらくするとともに、後方壁体の上端の上を通って侵入してきたスチームを壁体に確実に接触するように導くことにより、スチームをより確実に水滴化させ、結露水膜構成をより確実に形成することができ、締結部での劣化がなく、安全性の高いスチームアイロンを提供することができる。
【００１４】
以下、本発明の実施の形態について、図面を参照しながら説明する。なお、本実施の形態によって本発明が限定されるものではない。
【００１５】
（実施の形態１）
図１は本発明の第１の実施の形態におけるスチームアイロンの側面図、図２は同スチームアイロンの要部断面図、図３は同スチームアイロンの要部の他の例の断面図である。図１および図２において、スチームアイロンのアイロン本体１は、ヒータ２により加熱されるベース３と、ベース３の上面にスチームを発生させる気化室４と、ベース３下面に気化室４から発生したスチームを噴出させるスチーム穴５を形成した掛け面６とを備えている。
【００１６】
７は気化室４に供給する水を貯える水タンク、８は外部操作によって水タンク７の水を気化室４に供給、停止を行うスチームボタンである。９はベース３の上面に設けた断熱板、１０は断熱板９の上方に握り部１１を形成した樹脂製の把手体、１２は把手体１０の下部に設けられるとともに把手体１０と断熱板９とを接続する接続体、１３は把手体１０内壁から断熱板９に近接するように下方に向けて垂下して配置した壁体である。
【００１７】
断熱板９の上面には壁体１３と対応させた下方位置に凹部１９を設けてあり、この凹部１９内に壁体１３の下端１３ａを嵌め合わせるように延出させてある。なお、壁体１３および凹部１９は、アイロン本体１の幅方向すなわち前後方向にほぼ直交する方向に長く設けてある。
【００１８】
１４は、アイロン本体１の給電ピン１５と繋がっているリード板で、断熱板９の一部に穴として設けた貫通口１６の中にリード板１４を通し、握り部１１内に配設した掛け面６の温度を制御する温度制御手段１７と配線ネジ１８で接続する。また、壁体１３は、接続体１２と貫通口１６の間の位置で構成されている。
【００１９】
断熱板９の上面には、その前後方向において、貫通口１６と把手体１０の壁体１３に対向する位置との間に、アイロン本体１の幅方向に長く形成した後方壁体２１を上方に向けて延出してある。この後方壁体２１の上端２１ａの高さ位置は、壁体１３の下端１３ａより高い位置に設定してある。
【００２０】
なお、その他の構成は、従来例として説明したスチームアイロンと同様であるので、同一符号を付して詳しい説明は省略する。
【００２１】
以上のように構成されたスチームアイロンの動作、作用について、以下に説明する。なお、スチームアイロンとしての基本的な動作は、従来よく知られたものと同様であるので、詳しい説明は省略する。
【００２２】
まず、スチームボタン８を操作して水タンク７内の水を気化室４に供給すると、ヒータ２で加熱された気化室４でスチームが発生し、スチーム穴５から外部に噴出され、スチームを活用したアイロン掛けを行うことができる。
【００２３】
このとき、図１、図２において矢印で示すように、スチーム穴５から外部に噴出されたスチームの一部がベース３と断熱板９の間から入り、貫通口１６を通して把手体１０内部に侵入する。しかしながら、把手体１０内壁の接続体１２と貫通口１６の間の位置に設けた壁体１３にスチームが接触すると、壁体１３によってスチームが冷却され水滴に変化し、水滴は壁体１３を伝って下方に移動し、壁体１３が断熱板９と近接するように配置したので、壁体１３と断熱板９の間で結露水膜２０を形成し、スチームが壁体１３より内部、すなわち接続体１２側に侵入しないので、接続体１２がスチームにさらされることがないため、劣化等で強度が弱くなるということがなくなり、安全性の高いスチームアイロンを提供することができる。
【００２４】
また、壁体１３下方の断熱板９の一部に凹部１９を設け、壁体１３は凹部１９内に下端１３ａを嵌め合わせるように延出させたので、壁体１３によってスチームが冷却され水滴に変化し、水滴は壁体１３を伝って下方に移動し、凹部１９内に水滴が溜まることにより、壁体１３と断熱板９の間でより結露水膜２０が形成しやすくなり、スチームが壁体１３より内部、すなわち接続体１２側に侵入しないので、接続体１２がスチームにさらされることがないため、劣化等で強度が弱くなるということがなくなり、安全性の高いスチームアイロンを提供することができる。
【００２５】
さらに、壁体１３は凹部１９内に下端１３ａを嵌め合わせるように延出させたことにより、結露水膜２０を凹部１９内に強く保持することができるので、アイロン掛けによって特に前後方向に発生する加速度に対しても、またアイロン掛けの途中にアイロン本体１を立てて置くことに対しても、結露水膜２０が切れてしまったり、水滴が前方に移動して接続体１２の部分に侵入して強度を弱くしたり、水滴が後方に移動してリード板１４や配線
ネジ１８の電気系統に悪影響を与えることを防止できる。
【００２６】
また、後方壁体２１を断熱板９の上面で貫通口１６と把手体１０の壁体１３に対向する位置との間、すなわち壁体１３に対して侵入してくるスチームの流れの上流側に設け、しかもその上端２１ａの高さ位置は、壁体１３の下端１３ａより高い位置に設定したことにより、迷路効果によってスチームがより接続体１２側に侵入しづらくするとともに、後方壁体２１の上端２１ａの上を通って侵入してきたスチームを壁体１３に確実に接触するように導くことができ、スチームをより確実に水滴化させることができる。
【００２７】
なお、本実施の形態では、壁体１３を把手体１０と一体構成としたが、図３に示すように、壁体１３と把手体１０とを別部材で構成し、壁体１３を金属製にすると、壁体１３によってスチームが樹脂等の材料と比べより冷却され水滴に変化しやすくなり、壁体１３と断熱板９の間での結露水膜２０をより形成しやすくなり、スチームが壁体１３より内部により侵入しにくく、接続体１２がスチームにさらされることがないため、劣化等で強度が弱くなるということがなくなり、より安全性の高いスチームアイロンを提供することができる。
【００２８】
なお、本実施の形態では、壁体１３と後方壁体２１を、ともにアイロン本体１の幅方向に長く形成したが、貫通口１６に対応する前方部分に限定して設けたとしても、程度の差はあれ、本発明の効果を得られるものである。
【産業上の利用可能性】
【００２９】
以上のように、本発明にかかるスチームアイロンは、アイロン本体にスチームが侵入しても、把手体と断熱板との間に結露水膜を形成することにより、締結部が劣化等で強度が弱くなるということがなくなり、安全性の高いスチームアイロンを提供することができるので、家庭用、業務用のスチームアイロンに広く適用できる。
【図面の簡単な説明】
【００３０】
【図１】本発明の実施の形態１におけるスチームアイロンの側面図
【図２】同スチームアイロンの要部断面図
【図３】同スチームアイロンの要部の他の例の断面図
【図４】従来のスチームアイロンの側面図
【符号の説明】
【００３１】
１  アイロン本体
２  ヒータ
３  ベース
４  気化室
５  スチーム穴
６  掛け面
７  水タンク
８  スチームボタン
９  断熱板
１０  把手体
１１  握り部
１２  接続体
１３  壁体
１４  リード板
１５  給電ピン
１６  貫通口
１７  温度制御手段
１８  配線ネジ
１９  凹部
２０  結露水膜
２１  後方壁体
【図１】
2010125252.tif 000003
【図２】
2010125252.tif 000004
【図３】
2010125252.tif 000005
【図４】
2010125252.tif 000006